(57)【要約】【課題】撮影者の意図に従って、人物又は人物以外の最適な被写体を自動的に選択することができる撮像装置を提供する。【解決手段】撮像装置１０で撮影する撮影領域を被写体ごとに領域に分割する領域分割手段２０と、領域分割手段２０が分割した各領域の被写体について人物であるか否かを判定する人物判定手段２０と、人物であると判定した被写体から少なくとも一つの被写体を選択する第１被写体選択手段２０と、人物でないと判定した被写体から少なくとも一つの被写体を選択する第２被写体選択手段２０と、第１及び第２被写体選択手段２０の少なくとも一方を用いるモードにおいて、選択された中から被写体を決定する被写体決定手段２０と、複数のモードから一つのモードを選択するモード選択手段２０とを備える。被写体決定手段２０は、モード選択手段２０が選択したモードで、被写体を決定する。【選択図】　図２
2004020628.tif 000002
【特許請求の範囲】
【請求項１】
撮像装置で撮影する撮影領域を、被写体ごとに領域に分割する領域分割手段と、
上記領域分割手段が分割した各領域の被写体について、人物であるか否かを判定する人物判定手段と、
人物であると上記人物判定手段が判定した被写体から、少なくとも一つの被写体を選択する第１被写体選択手段と、
人物でないと上記人物判定手段が判定した被写体から、少なくとも一つの被写体を選択する第２被写体選択手段と、
上記第１被写体選択手段と上記第２被写体選択手段の少なくともいずれか一方を用いるモードにおいて、選択された中から被写体を決定する被写体決定手段と、
上記複数のモードから一つのモードを選択するモード選択手段とを備え、
上記被写体決定手段は、上記モード選択手段が選択したモードで、被写体を決定することを特徴とする、撮像装置。
【請求項２】
上記複数のモードは、
（ａ）上記第１被写体選択手段が被写体を選択したときには、上記第１被写体選択手段を用い、上記第１被写体選択手段が被写体を選択しないときに、上記第２被写体選択手段を用いる第１モードと、
（ｂ）上記第２被写体選択手段が被写体を選択したときには、上記第２被写体選択手段を用い、上記第２被写体選択手段が被写体を選択しないときに、上記第１被写体選択手段を用いる第２モードと、
（ｃ）上記第１被写体選択手段のみを用いる第３モードと、
（ｄ）上記第２被写体選択手段のみを用いる第４モードと
を含むことを特徴とする、請求項１記載の撮像装置。
【請求項３】
撮像装置は、一般的な撮影時の通常モード、人物撮影時のポートレートモード及び夜景をバックに人物を撮影する夜景ポートレートモード、風景撮影時の風景モード、マクロ撮影時のマクロモードを含む複数の動作モードで動作可能であり、
上記モード選択手段は、
（ａ）撮像装置が通常モードで動作するときには、上記第１モードを選択し、
（ｂ）撮像装置がポートレートモード又は夜景ポートレートモードで動作するときには、上記第３モードを選択し、
（ｃ）撮像装置が風景モードで動作するときには、上記第２モード又は上記第４モードを選択し、
（ｄ）撮像装置がマクロモードで動作するときには、上記第４モードを選択することを特徴とする、請求項２記載の撮像装置。
【発明の詳細な説明】
【０００１】
【発明の属する技術分野】
本発明は、撮像装置に関し、詳しくは、銀塩フィルムカメラやデジタルカメラ等のスチルカメラ、ムービーカメラ、監視カメラなどに好適な撮像装置に関する。
【０００２】
【従来の技術】
従来、被写体が人物であるか否かを検出する機能を搭載し、被写体が人物であると判断した場合に、その人物に自動的に露出や焦点を合わせるカメラが種々提案されている（例えば、特開平５−４１８３０号公報、特開平６−３０３４９１号公報、特開２０００１−２１５４０４号公報）。
【０００３】
【発明が解決しようとする課題】
しかし、人物に自動的に露出や焦点を合わせると、例えば、観光地などで建物や風景を撮影したいときでも、一般の観光客を主要な被写体として検出し、建物や風景に焦点が合わず、他人に焦点が合った写真が撮影される。このような場合には、撮影者の意図に応じて、人物以外の建物や風景に自動的に焦点が合うと、便利である。
【０００４】
したがって、本発明が解決しようとする技術的課題は、撮影者の意図に従って、人物又は人物以外の最適な被写体を自動的に決定することができる撮像装置を提供することである。
【０００５】
【課題を解決するための手段】
本発明は、上記技術的課題を解決するために、以下の構成の撮像装置を提供する。
【０００６】
撮像装置は、領域分割手段と、人物判定手段と、第１被写体選択手段と、第２被写体選択手段と、被写体決定手段と、モード選択手段とを備える。上記領域分割手段は、撮像装置で撮影する撮影領域を、被写体ごとに領域に分割する。上記人物判定手段は、上記領域分割手段が分割した各領域の被写体について、人物であるか否かを判定する。上記第１被写体選択手段は、人物であると上記人物判定手段が判定した被写体から、少なくとも一つの被写体を選択する。上記第２被写体選択手段は、人物でないと上記人物判定手段が判定した被写体から、少なくとも一つの被写体を選択する。上記被写体決定手段は、上記第１被写体選択手段と上記第２被写体選択手段の少なくともいずれか一方を用いるモードにおいて、選択された中から被写体を決定する。上記モード選択手段は、上記複数のモードから一つのモードを選択する。上記被写体決定手段は、上記モード選択手段が選択したモードで、被写体を決定する。
【０００７】
上記構成において、モードの選択により、人物を被写体に決定したり、人物以外を被写体に決定するなど、人物（又は人物以外）の優先度が異なる種々の態様で被写体を決定できる。例えば、人物以外を優先するモードを選択することにより、人物がいる場面でも、背景の建物や手前の花など、人物以外を被写体に決定できる。また、人物を被写体としたい場合に、人物を優先するモードを選択することにより、人物以外を被写体に決定しないようにすることができる。
【０００８】
上記構成によれば、決定された被写体の領域の測距データや輝度データなどを用いて、最適な被写体に焦点や露出を合わせることができる。
【０００９】
したがって、適宜にモードを選択することにより、撮影者の意図に従って、人物又は人物以外の最適な被写体を自動的に決定することができる。
【００１０】
好ましくは、上記複数のモードは、（ａ）上記第１被写体選択手段が被写体を選択したときには、上記第１被写体選択手段を用い、上記第１被写体選択手段が被写体を選択しないときに、上記第２被写体選択手段を用いる第１モードと、（ｂ）上記第２被写体選択手段が被写体を選択したときには、上記第２被写体選択手段を用い、上記第２被写体選択手段が被写体を選択しないときに、上記第１被写体選択手段を用いる第２モードと、（ｃ）上記第１被写体選択手段のみを用いる第３モードと、（ｄ）上記第２被写体選択手段のみを用いる第４モードとを含む。
【００１１】
上記構成において、第１モードでは、被写体に人物を優先し、人物の被写体がなければ、人物以外を被写体とする。第２モードでは、被写体に人物以外を優先し、人物以外の被写体がなければ、人物を被写体とする。第３モードでは、被写体は人物に固定する。第４モードでは、被写体は人物以外に固定する。
【００１２】
好ましくは、撮像装置は、一般的な撮影時の通常モード、人物撮影時のポートレートモード及び夜景をバックに人物を撮影する夜景ポートレートモード、風景撮影時の風景モード、マクロ撮影時のマクロモードを含む複数の動作モードで動作可能である。上記モード選択手段は、（ａ）撮像装置が通常モードで動作するときには、上記第１モードを選択し、（ｂ）撮像装置がポートレートモード又は夜景ポートレートモードで動作するときには、上記第３モードを選択し、（ｃ）撮像装置が風景モードで動作するときには、上記第２モード又は上記第４モードを選択し、（ｄ）撮像装置がマクロモードで動作するときには、上記第４モードを選択する。
【００１３】
上記構成によれば、通常モードのときには、第１モード（人物優先）を選択する。ポートレート又は夜景ポートレートときには、第３モード（人物固定）を選択する。風景モードのときには、第２モード（人物以外優先）又は第４モード（人物以外固定）を選択する。マクロモードのときには、第４モード（人物以外固定）を選択する。
【００１４】
上記構成によれば、カメラに搭載されている撮影モード（通常モード、ポートレートモード、夜景ポートレートモード、風景モード、マクロモード）の選択機能に連動して、被写体を決定する第１〜第４モードを自動的に設定することにより、カメラの操作性を損なうことなく、最適な被写体を決定することが可能となる。
【００１５】
【発明の実施の形態】
以下、本発明の実施の形態として一実施例を図１〜図１０に基づいて説明する。
【００１６】
まず、実施例のカメラ（例えば、デジタルカメラ）について、図１、図３及び図４を参照しながら説明する。
【００１７】
図１は、実施例のカメラ１０の構成を模式的に示す。カメラ本体１２には、その前面に、被写体決定用の撮像ユニット２２と、実際の撮影用の撮像ユニット２４とが配置されている。
【００１８】
被写体決定用の撮像ユニット２２は、実際の撮影用の撮像ユニット２４が撮影する撮影領域と略同じ範囲を撮像し、撮影領域を複数の領域に分割するための情報を出力する。被写体決定用の撮像ユニット２２は、マルチライン測距センサ、単眼のＣＣＤカメラ、実際の撮影用の撮像ユニット２４との兼用、焦電センサなどの熱源センサなど、いずれでもよい。また、これらのうちの複数を組み合わせてもよい。
【００１９】
カメラ本体１２の背面には、撮影モードを選択するためのモード選択釦１４と、撮影開始操作のための撮影開始釦１６と、警告を表示する警告表示灯１８とが配置されている。撮影モードには、一般的な撮影時の通常モード、人物撮影時のポートレートモード及び夜景をバックに人物を撮影する夜景ポートレートモード、風景撮影時の風景モード、マクロ撮影時のマクロモードを含む。カメラ本体１２内には、これらの機器・装置類１４，１６，１８，２２，２４に接続されるマイクロコンピュータ２０が配置されている。マイクロコンピュータ２０は、所定のプログラムに従って動作し、カメラ１０全体の制御を統括する。
【００２０】
マイクロコンピュータ２０は、被写体決定用の撮像ユニット２２から出力された情報に基づき、撮影領域を被写体ごとに複数の領域に分割する。被写体決定用の撮像ユニットを別個に設けずに、実際の撮影用の撮像ユニット２４と兼用する場合には、撮像ユニット２４からの出力に基づいて、エッジ抽出など公知の技術を用いて、被写体ごとに複数の領域に分割することができる。各領域は、重なり合ってもよい。
【００２１】
マイクロコンピュータ２０は、分割した各領域の被写体について、人物であるか否かを判定し、その判定結果に基づいて、最適な被写体を決定する。このとき、モード選択釦１４により選択された撮影モードに応じた方法で、最適な１又は２以上の被写体を決定する。マイクロコンピュータ２０は、分割した各領域の被写体について、人物の被写体から最適な被写体（「第１被写体」と言う。）を選択する機能と、人物以外の被写体から最適な被写体（「第２被写体」と言う。）を選択する機能とを有する。これらの機能は、撮影モードに連動して自動的に組み合わせ、それによって、カメラの操作性を損なうことなく、最適な被写体を決定することが可能となる。最適な被写体を決定できないとき、例えば暗闇で情報が得られなかった場合には、警告表示灯１８を用いて警告を表示するなどのエラー処理を行う。
【００２２】
撮影モードが通常モードのときには、分割した各領域の被写体について、まず、人物の被写体があるか否かを判定し、人物の被写体があれば、その中から最適な被写体を決定する。人物の被写体がなければ、人物以外の被写体があるか否かを判定し、人物以外の被写体があれば、その中から最適な被写体を決定する。人物の被写体も、人物以外の被写体もなければ、エラー処理を行う。
【００２３】
撮影モードが風景モードのときには、分割した各領域の被写体について、人物以外の被写体があるか否かを判定し、人物以外の被写体があれば、その中から最適な被写体を決定する。人物以外の被写体がなければ、エラー処理を行う。
【００２４】
撮影モードがポートレートモード又は夜景ポートレートモードのときには、分割した各領域の被写体について、人物の被写体があるか否かを判定し、人物の被写体があれば、その中から最適な被写体を決定する。人物の被写体がなければ、エラー処理を行う。
【００２５】
撮影モードが風景モードのときには、分割した各領域の被写体について、まず、人物以外の被写体があるか否かを判定し、人物以外の被写体があれば、その中から最適な被写体を決定する。人物以外の被写体がなければ、エラー処理を行う。あるいは、人物以外の被写体がなければ、人物の被写体があるか否かを判定し、人物の被写体があれば、その中から最適な被写体を決定する。人物以外の被写体も、人物の被写体もなければ、エラー処理を行う。
【００２６】
撮影モードがマクロモードのときには、分割した各領域の被写体について、人物以外の被写体があるか否かを判定し、人物以外の被写体があれば、その中から最適な被写体を決定する。人物以外の被写体がなければ、エラー処理を行う。
【００２７】
具体的には、マイクロコンピュータ２０は、図３及び図４のフローチャートに示した手順の動作により、最適な被写体を決定する。
【００２８】
図３に示したように、マイクロコンピュータ２０は、撮影開始釦１６が押されてＯＮになるのを待つ（＃１０でＮＯ）。撮影開始釦１６がＯＮになれば（＃１０でＹＥＳ）、モード選択釦１４の状態を取得し（＃１２）、撮影モードの選択状態を判別する（＃１４，＃１６，＃１８）。
【００２９】
すなわち、まず、モード選択釦１４により通常モードが選択されているか否かを判定し（＃１４）、通常モードであれば（＃１４でＹＥＳ）、ステップ＃２４に進む。通常モードでなければ（＃１４でＮＯ）、モード選択釦１４により風景モードが選択されているか否かを判定し（＃１６）、風景モードであれば（＃１６でＹＥＳ）、ステップ＃２４に進む。風景モードでなければ（＃１６でＮＯ）、モード選択釦１４によりポートレートモードが選択されているか否かを判定し（＃１８）、ポートレートモードであれば（＃１８でＹＥＳ）マクロモードであるので、「人物以外選択」を禁止する人物以外選択禁止フラグを立て（＃２０）、ステップ＃２４に進む。ポートレートモードでなければ（＃１８でＮＯ）、「人物選択」を禁止する人物選択禁止フラグを立て（＃２２）、ステップ＃２４に進む。
【００３０】
ステップ＃２４において、被写体決定用の撮像ユニット２２から画像データ（あるいは熱分布データ等）を取得する。
【００３１】
次に、人物選択禁止フラグにより、「人物選択」が禁止されているか否かを判定し（＃２６）、禁止されていなければ（＃２６でＮＯ）、「人物選択」を実行する。すなわち、ステップ＃２４で取得した画像データ（あるいは熱分布データ等）に基づいて、撮影領域を複数の領域に分割し、その中から人物と判定されるところを抽出し、さらにその中から焦点や露出を合わせるべきところ、すなわち第１被写体を選択する（＃２８）。「人物選択」が禁止されていれば（＃２６でＹＥＳ）、ステップ＃２８をスキップする。
【００３２】
次に、人物以外選択禁止フラグにより、「人物以外選択」が禁止されているか否かを判定し（＃３０）、禁止されていなければ（＃３０でＮＯ）、「人物以外選択」を実行する。すなわち、ステップ＃２４で取得した画像データ（あるいは熱分布データ等）に基づいて、撮影領域を複数の領域に分割し、その中から人物以外と判定されるところを抽出し、さらにその中から焦点や露出を合わせるべきところ、すなわち第２被写体（人物以外）を選択する（＃３２）。「人物以外選択」が禁止されていれば（＃３０でＹＥＳ）、ステップ＃３２をスキップする。
【００３３】
次に、撮影モードの選択に応じて、最適な被写体を決定する。
【００３４】
図４に示したように、モード選択釦１４による選択が通常モードであるか否かを判定し（＃３４）、通常モードであれば（＃３４でＹＥＳ）、選択した第１被写体があるか否かを判定する（＃４４）。選択した第１被写体があれば（＃４４でＹＥＳ）、その第１被写体を最適な被写体に決定し（＃４６）、ステップ＃５６に進む。選択した第１被写体がなければ（＃４４でＮＯ）、選択した第２被写体（人物以外）があるか否かを判定する（＃５２）。選択した第２被写体があれば（＃５２でＹＥＳ）、その第２被写体を最適な被写体に決定し（＃５４）、ステップ＃５６に進む。選択した第２被写体がなければ（＃５２でＮＯ）、ステップ＃５４をスキップし、ステップ＃５６に進む。
【００３５】
モード選択釦１４による選択が通常モードでなければ（＃３４でＮＯ）、モード選択釦１４による選択が風景モードであるか否かを判定し（＃３６）、風景モードであれば（＃３６でＹＥＳ）、選択した第２被写体（人物以外）があるか否かを判定する（＃４８）。選択した第２被写体があれば（＃４８でＹＥＳ）、その第２被写体を最適な被写体に決定し（＃５０）、ステップ＃５６に進む。選択した第２被写体がなければ（＃４８でＮＯ）、選択した第１被写体（人物）があるか否かを判定する（＃６０）。選択した第１被写体（人物）があれば（＃６０でＹＥＳ）、その第１被写体を最適な被写体に決定し（＃６２）、ステップ＃５６に進む。選択した第１被写体がなければ（＃６０でＮＯ）、ステップ＃６２をスキップし、ステップ＃５６に進む。
【００３６】
モード選択釦１４による選択が風景モードでなければ（＃３６でＮＯ）、モード選択釦１４による選択がポートレートモードであるか否かを判定し（＃３８）、ポートレートモードであれば（＃３８でＹＥＳ）、人物以外選択を禁止する人物以外選択禁止フラグを立て（＃４０）、選択した第１被写体（人物）があるか否かを判定する（＃６０）。選択した第１被写体（人物）があれば（＃６０でＹＥＳ）、その第１被写体を最適な被写体に決定し（＃６２）、ステップ＃５６に進む。選択した第１被写体がなければ（＃６０でＮＯ）、ステップ＃６２をスキップし、ステップ＃５６に進む。
【００３７】
モード選択釦１４による選択がポートレートでなければ（＃３８でＮＯ）マクロモードであるので、人物選択を禁止する人物選択禁止フラグを立て（＃４２）、選択した第２被写体（人物以外）があるか否かを判定する（＃５２）。選択した第２被写体があれば（＃５２でＹＥＳ）、その第２被写体を最適な被写体に決定し（＃５４）、ステップ＃５６に進む。選択した第２被写体がなければ（＃５２でＮＯ）、ステップ＃５４をスキップし、ステップ＃５６に進む。
【００３８】
ステップ＃５６において、最適な被写体に第１被写体又は第２被写体が決定されているか否かを判定する（＃５６）。第１被写体又は第２被写体が最適な被写体に決定されていれば（＃５６でＹＥＳ）、最適な被写体を決定する処理を終了する。第１被写体も第２被写体も最適な被写体に決定されていない場合（＃５６でＮＯ）、被写体が不在であることを警告表示灯１８により警告し（＃５８）、最適な被写体を決定する処理を終了する。
【００３９】
次に、図２、図５〜図１０を参照しながら、図３のステップ＃２８、＃３２における人物の検出の手法について説明する。
【００４０】
図２は、実施例のカメラ１０において、人物と人物以外の峻別、抽出に関わる部分の構成を示す。撮像ユニット２４は、ＣＣＤ３５を備えている。ＣＣＤ３５は、撮像ユニット２４の前部に配置された撮影レンズ３４で結像された被写体像を撮像する。更に、カメラ本体１２内には、水平検出装置４２が設置されている。水平検出装置４２は、ＣＣＤ３５で撮像した画像の水平方向を決定するために、カメラ本体１２の水平方向に対する向き（角度）を検出する。カメラ本体１２の前面には、被写体輝度検出装置３６が配置されている。被写体輝度検出装置３６は、被写体の輝度を複数領域に分割して検出する。さらに、被写体決定用の撮像ユニット２２として画像検出装置３７が配置されている。これらの各部の動作はマイクロコンピュータ２０により制御される。
【００４１】
画像検出装置３７は、一対のレンズ３８ａ，３８ｂ及び二次元受光部３９ａ，３９ｂを含み、被写体までの距離を三角測距の原理により検出するために用いる。すなわち、一方の二次元受光部３９ａにおける被写体像の位置と、他方の二次元受光部３９ｂにおける被写体像の位置とは、被写体までの距離に応じて、一定の関係で相対的にずれるので、この二次元受光部３９ａ，３９ｂ間における結像位置の相対的なずれ量から被写体までの距離を算出する。このとき、二次元受光部３９ａ，３９ｂを二次元的に配置された部分領域即ち複数の測距ポイントに分割し、部分領域ごとに被写体までの距離を算出することにより、距離画像を出力する。
【００４２】
図５は、測距ポイントの配置を示す。撮影領域２に対して、○印で示した複数の測距ポイント７が配置されている。図中、符号４は人物、符号６は人物以外の物体を示す。この例では、部分領域、すなわち測距ポイント７は重なっていてないが、互いに重なるようにしてもよい。
【００４３】
また、部分領域をさらに小さい詳細部分領域に分割し、部分領域の測距値から補間によりそれぞれの詳細部分領域について測距値を算出し、距離画像を出力してもよい。
【００４４】
図６は、距離画像を示し、撮影領域２における被写体の距離の分布を３次元的に表示している。撮影領域２に対して上向きに距離の分布曲線５を示しており、軸方向上方ほど、カメラ１０までの距離が近い。距離画像（正確には、撮影領域２に測距値を対応付けた距離情報）は、画像検出装置３７からの出力に基づいて、マイクロコンピュータ２０が算出する。
【００４５】
図７は、撮影領域２の分割を示す。マイクロコンピュータ２０は、距離画像に基づき、距離が大きく変化している部分を境界として、複数の領域を設定する。図中、領域１は、測距ポイント７が配置された測距範囲８内から、後述する領域２及び領域３の部分３ｂ，３ｃを除いた部分３ａである。領域２は、人物４の部分３ｂである。領域３は、人物以外の物体６の部分３ｃである。
【００４６】
マイクロコンピュータ２０は、被写体ごとに領域を分割した後、被写体が人物であるか否かを、各領域の幅比に基づいて判定する。
【００４７】
例えば図８に示すように、撮影領域２中の領域１の部分３ａ、領域２の部分３ｂ、領域３の部分３ｃについて、矢印で示すように、水平方向の幅（画素数）を検出し、その最大幅と、幅比（頭幅すなわち上部の幅と最大幅との比）を算出する。水平方向は、水平方向検出装置４２からの出力に基づいて決定する。
【００４８】
人物の場合には、頭部と胴部と判定されるところを持ち、図９おいて符号１ｂで示すように、頭幅と最大体幅との比は、最大体幅に応じて目安となる値が変化する。目安となる値は、人物の頭部と胴部の巾を多数実測し、その平均値を用いればよい。各領域について、測距値と画素数から最大体幅に相当する値を算出し、図９に当てはめると、例えば領域１は符号９ａ、領域２は符号９ｂ、領域３は符号９ｃの位置となる。人物が被写体である領域２は、最大幅と幅比の関係が曲線１ｂに略一致するが、人物以外が被写体である領域１や領域３については、最大幅と幅比の関係は、曲線１ｂに対する上下限曲線１ａ，１ｃ外にある。これを利用して、各領域の被写体が人物であるか否かを判定することができる。
【００４９】
次に、人物、及び人物以外の物体が峻別され、抽出された後、図４において最適な被写体を決定する手法について、図１０を参照しながら説明する。
【００５０】
図１０（ａ）〜（ｄ）は、通常モードやポートレートモードの場合に、第１被写体（人物）を最適な被写体に決定する例を示す。図中、符号５０は撮影領域、符号５２は測距領域を示す。
【００５１】
図１０（ａ）に示すように、複数の人物５４，５６の距離が、撮影領域５０の画面上で所定以上離れている場合には、最も近距離に位置する人物５４を最適な被写体に決定し、これに露出及び焦点を合わせる。
【００５２】
図１０（ｂ）に示すように、複数の人物５４，５６の距離が、所定以内で近接している場合には、複数の人物５４，５６を共に最適な被写体に決定し、例えば各被写体５４，５６の輝度及び距離の平均値を用いて、露出及び焦点位置を決定する。
【００５３】
図１０（ｃ）に示すように、複数の人物５４，５６，５８のうち、いくつか人物５４，５６が近距離にあり、さらに、その人物５４，５６が互いに接近している場合には、接近している人物５４，５６を共に最適な被写体に決定し、例えば各被写体５４，５６の輝度及び距離の平均値を用いて、露出及び焦点位置を決定する。
【００５４】
図１０（ｄ）に示すように、複数の人物５４，５６，５８が、撮影領域５０の画面上で所定以上離れた距離にあり、かつ人物５４，５６，５８間の距離が略同程度である場合には、画面中央に近い人物５６を最適な被写体に決定し、露出及び焦点位置を決定する。
【００５５】
図１０（ｅ）、（ｆ）は、風景モードを選択した場合に、第２被写体（人物以外）が最適な被写体に決定される例を示す。
【００５６】
図１０（ｅ）に示すように、観光地などで、背景６０の建物のような風景を撮影する場合、建物・風景の前景に入っている他の観光客などの人物６２は最適な被写体の選択から除外し、背景６０の建物を最適な被写体に決定し、これに露出及び焦点位置を合わせる。
【００５７】
図１０（ｆ）に示すように、例えば動物園において、観覧する他の人物６４，６６を避けたい場合、近接の人物６４，６６の選択を除外し、背景６１の動物を最適な被写体に決定し、これに露出及び焦点位置を合わせる。
【００５８】
図示していないが、複数の建物・オブジェ・動物などの物体について最適な被写体を決定する基準は、前述の人物を最適な被写体に決定する場合と同様の手法をとる。
【００５９】
以上説明したように、撮影者の意図に従って、人物又は人物以外の最適な被写体を自動的に選択することができる。
【００６０】
なお、本発明は上記実施例に限定されるものではなく、その他種々の態様で実施可能である。
【００６１】
例えば、本発明は、銀塩フィルムカメラやデジタルカメラに限らず、ムービーカメラ、監視カメラなどにも広く適用できる。
【００６２】
また、撮影モードと連動させずに、直接、第１〜第４モードを選択できるようにしてもよい。撮影モードは上述した通常モード、風景モード、ポートレートモード、マクロモードに限らない。また、撮影モードではなく、被写体の状態、シーン等を判別して第１〜第４モードを選択するものでもよい。第１〜第４モード全てを備えている必要は必ずしもない。
【図面の簡単な説明】
【図１】本発明の一実施例を示すカメラの構成図である。
【図２】図１のカメラにおける要部構成図である。
【図３】図１のカメラにおける最適な被写体を決定する処理のフローチャートである。
【図４】図３の続きのフローチャートである。
【図５】図２のカメラにおける測距ポイントの配置図である。
【図６】図２のカメラにおける距離画像である。
【図７】図２のカメラにおける領域分割の説明図である。
【図８】図７の各領域の幅の説明図である。
【図９】人物の最大体幅と頭幅の関係を示すグラフである。
【図１０】最適な被写体の説明図である。
【符号の説明】
２　撮影領域
４　人物（被写体）
６　人物以外（被写体）
１０　カメラ（撮像装置）
２０　マイクロコンピュータ（領域分割手段、人物判定手段、第１被写体選択手段、第２被写体選択手段、被写体決定手段、モード選択手段）
２２　撮像ユニット（領域分割手段、人物判定手段）
３７　画像検出装置（領域分割手段、人物判定手段）
４２　水平検出装置（人物判定手段）
５０　撮影領域
５４，５６，５８　人物（被写体）
６２，６４，６６　人物（被写体）
【図１】
2004020628.tif 000003
【図２】
2004020628.tif 000004
【図３】
2004020628.tif 000005
【図４】
2004020628.tif 000006
【図５】
2004020628.tif 000007
【図６】
2004020628.tif 000008
【図７】
2004020628.tif 000009
【図８】
2004020628.tif 000010
【図９】
2004020628.tif 000011
【図１０】
2004020628.tif 000012